(57)【要約】      （修正有）【課題】改良ボイラーベース加熱システム、および、貯蔵手段の改良代替手段を提供する。【解決手段】エネルギー貯蔵システム（１０）は、複数の熱エネルギー貯蔵バンク（１０１、１０２、１０３、１０４）を備える。各熱エネルギー貯蔵バンク（１０１、１０２、１０３、１０４）は、所定の相変態温度を有する相変化物質を備える。エネルギー貯蔵システム（１０）はまた、ボイラー（２０）から廃エネルギーを回収するよう構成される抽出装置（１０５）を備える。抽出装置（１０５）は、ボイラー（２０）から廃エネルギーを抽出して当該エネルギーを前記熱エネルギー貯蔵バンク（１０１、１０２、１０３、１０４）のうちの少なくとも１つ（１０１）に供給するよう動作可能である。使用中、ボイラー（２０）の動作に応じて抽出装置（１０５）を作動するようコントローラ（１０６）が配される。【選択図】図１
2019203685.tif 000002
【特許請求の範囲】
【請求項１】
ボイラー用のエネルギー貯蔵システムであって、
複数の熱エネルギー貯蔵バンクであって、それぞれ所定の相変態温度を有する相変化物
質を備える熱エネルギー貯蔵バンクと、
ボイラーから廃エネルギーを回収するよう構成される抽出装置であって、ボイラーから
廃エネルギーを抽出して当該エネルギーを前記熱エネルギー貯蔵バンクのうちの少なくと
も１つに供給するよう動作可能な抽出装置と、
使用中、ボイラーの動作に応じて抽出装置を作動するよう配されるコントローラと
を備える、エネルギー貯蔵システム。
【請求項２】
前記相変態温度は、全てのバンクで同じである、請求項１に記載のエネルギー貯蔵シス
テム。
【請求項３】
少なくとも１つのバンクは、残りのバンクの相変態温度よりも低い相変態温度で動作し
てもよい、請求項１に記載のエネルギー貯蔵システム。
【請求項４】
各熱エネルギー貯蔵バンクは、熱エネルギー伝達接続によって１つ以上の隣接する熱エ
ネルギー貯蔵バンクに接続されてもよい、先行請求項のいずれかに記載のエネルギー貯蔵
システム。
【請求項５】
前記抽出装置は、ポンプを備える、先行請求項のいずれかに記載のエネルギー貯蔵シス
テム。
【請求項６】
前記ポンプは、飲用水ミニポンプを備える、請求項５に記載のエネルギー貯蔵システム
。
【請求項７】
前記ポンプは、マイクロヒートポンプを備える、請求項５に記載のエネルギー貯蔵シス
テム。
【請求項８】
前記ポンプは、ボイラー動作中に生成された燃焼排ガスから廃熱を回収するよう構成さ
れる、請求項５、６、または７に記載のエネルギー貯蔵システム。
【請求項９】
前記コントローラは、ボイラーの燃焼に応じてポンプを作動する、請求項８に記載のエ
ネルギー貯蔵システム。
【請求項１０】
冷水入口をさらに備える、先行請求項のいずれかに記載のエネルギー貯蔵システム。
【請求項１１】
１５リットル未満の飲用水をさらに備える、先行請求項のいずれかに記載のエネルギー
貯蔵システム。
【請求項１２】
飲用温水の出口温度を制御するために、入口冷水をエネルギー貯蔵システムによって加
熱された飲用水と混合するよう動作可能な温度調整混合弁をさらに備える、請求項１１に
記載のエネルギー貯蔵システム。
【請求項１３】
前記温度調整弁は、出口水温度を調節するよう構成可能である、請求項１２に記載のエ
ネルギー貯蔵システム。
【請求項１４】
前記出口水温度は、約４７℃である、請求項１３に記載のエネルギー貯蔵システム。
【請求項１５】
前記エネルギー貯蔵システムの流量は、１分当たり少なくとも１５．５リットルである
、先行請求項のいずれかに記載のエネルギー貯蔵システム。
【請求項１６】
前記相変化物質は、約５８℃の相変態温度を含む、先行請求項のいずれかに記載のエネ
ルギー貯蔵システム。
【請求項１７】
前記相変化物質は、５０〜５５℃の範囲の相変態温度を含む、先行請求項のいずれかに
記載のエネルギー貯蔵システム。
【請求項１８】
前記バンクのうちの少なくとも１つは、約２８℃の相変態温度を含む相変化物質を備え
る、先行請求項のいずれかに記載のエネルギー貯蔵システム。
【請求項１９】
先行請求項のいずれかに記載のエネルギー貯蔵システムと組み合わせたボイラー。
【請求項２０】
前記ボイラーはシステムボイラーである、請求項１９に記載のボイラー。
【請求項２１】
前記ボイラーはコンビネーションボイラーである、請求項１９に記載のボイラー。
【請求項２２】
前記ボイラーはガス燃焼ボイラーである、請求項１９に記載のボイラー。
【請求項２３】
前記ボイラーは重油燃焼ボイラーである、請求項１９に記載のボイラー。
【請求項２４】
前記エネルギー貯蔵システムは、ボイラーの外部にボイラーと流体連結して位置する、
請求項１９〜２３のいずれかに記載のボイラー。
【請求項２５】
排ガスを受け取り、得られた熱エネルギーを前記エネルギー貯蔵システムの少なくとも
１つのバンクへ送出するよう構成される熱交換器をさらに備える、請求項１９〜２４のい
ずれかに記載のボイラー。
【請求項２６】
添付図面を参照して上記したエネルギー貯蔵システム。
【請求項２７】
添付図面を参照して上記したボイラー。
【発明の詳細な説明】
【技術分野】
【０００１】
本発明は、エネルギー貯蔵システムに関する。特に、本発明は、家庭用ボイラー等のボ
イラー用の蓄熱システムに関する。
【背景技術】
【０００２】
貯蔵コンビネーションまたはコンビボイラーは、セントラルヒーティングと家庭用温水
（ｄｏｍｅｓｔｉｃ  ｈｏｔ  ｗａｔｅｒ（ＤＨＷ））とを１つの装置にまとめたもので
ある。
【０００３】
貯蔵型装置は、典型的に４２〜５４リットル程度の貯蔵容量を持つ内部水貯蔵を含む。
これは、装置の充電１回あたり約２．７０ｋＷｈの平均エネルギー貯蔵容量に相当する。
このような貯蔵コンビネーションボイラーの例を、主な特徴と共に以下の表に示す：
【表１】
2019203685.tif 000003
【０００４】
上の表で定義した温水流量は、３５ケルビンの温度上昇、すなわち、４５℃の正常温水
流れ温度に基づく。
【０００５】
このような装置からの流量は、１分当たり１４．０〜１７．５リットルの範囲である。
【０００６】
これらコンビネーションボイラー装置における温水貯蔵は、主に、使用中の装置の効率
を高めると共に、コンビネーションボイラーを利用する際の顧客満足度を向上するために
用いる。小さいドローオフ（ｄｒａｗ  ｏｆｆ）でも高出力でスイッチオンするため、ボ
イラーサイクリングを減らすことによってエネルギー浪費を軽減し、上記の効果が得られ
る。４０℃を超える有効温度で水を生成するために、従来のコンビネーションボイラーの
約１５秒の遅延に比べて、温水貯蔵から温水を即座に供給することから、水やエネルギー
浪費が軽減される。従来のコンビネーションボイラーは、貯水設備を含んでおらず、代わ
りに、ボイラーを流れる水を加熱する。即座に温水を提供するために従来のコンビネーシ
ョンボイラーが保温設備を含む場合もあるが、この特徴は、年間９００ｋＷｈまで熱エネ
ルギーを浪費することが知られている。
【０００７】
コンビネーションボイラーは、故障の可能性がある多くの可動部品を有することから、
一般に貯蔵タンクと関連するシステムボイラーや加熱専用ボイラー等のボイラーよりも信
頼性が低いと考えられる。
【０００８】
改良ボイラーベース加熱システムを提供することが望ましい。
【０００９】
さらに、ボイラー用の従来の貯蔵手段の改良代替手段を提供する改良エネルギー貯蔵シ
ステムを提供することが望ましい。
【発明の概要】
【００１０】
本発明の第１の態様は、ボイラー用のエネルギー貯蔵システムであって、複数の熱エネ
ルギー貯蔵バンクであって、それぞれ所定の相変態温度を有する相変化物質を備える熱エ
ネルギー貯蔵バンクと、ボイラーから廃エネルギーを回収するよう構成される抽出装置で
あって、ボイラーから廃エネルギーを抽出して当該エネルギーを前記熱エネルギー貯蔵バ
ンクのうちの少なくとも１つに供給するよう動作可能な抽出装置と、使用中、ボイラーの
動作に応じて抽出装置を作動するよう配されるコントローラとを備える、エネルギー貯蔵
システムを提供する。
【００１１】
本発明の実施形態にかかるシステムは、適切な相変態温度を有する相変化物質を用いて
、比較的少量の水を加熱するためのエネルギーを貯蔵することができる。
【００１２】
前記相変態温度は、全てのバンクで同じであってもよい。あるいは、少なくとも１つの
バンクは、残りのバンクの相変態温度よりも低い相変態温度で動作してもよい。
【００１３】
各熱エネルギー貯蔵バンクは、熱エネルギー伝達接続によって１つ以上の隣接する熱エ
ネルギー貯蔵バンクに接続されてもよい。
【００１４】
前記抽出装置は、ポンプを備えてもよい。前記ポンプは、飲用水ミニポンプを備えても
よい。あるいは、前記ポンプは、マイクロヒートポンプを備えてもよい。
【００１５】
前記ポンプは、ボイラー動作中に生成された燃焼排ガスから廃熱を回収するよう構成さ
れてもよい。前記コントローラは、温水需要時等、ボイラーの燃焼に応じてポンプを作動
してもよい。
【００１６】
エネルギー貯蔵システムは、ボイラーから熱を回収してもよい。特に、燃焼サイクル終
了時のボイラーポンプオーバーラン期間中にボイラー熱交換器アセンブリからおよび燃焼
排ガスからの廃熱等、ボイラーの非効率点から熱を回収してもよい。本発明は、温水貯蔵
と一体化可能な、効率的な燃焼排ガス回収および燃焼サイクル終了時回収のための手段を
提供する。よって、本発明の実施形態にかかる装置は、現在利用可能な技術と比べて、エ
ネルギー回収を高める。
【００１７】
前記システムは、冷水入口を備えてもよい。冷水は、電源供給であってもよい。
【００１８】
前記システムは、飲用温水の出口温度を制御するために、電源供給冷水をエネルギー貯
蔵システムによって加熱された水と混合する温度調整混合弁を備えてもよい。前記温度調
整弁は、出口水温度を約４７℃に調節するよう構成可能であってもよい。
【００１９】
本発明の実施形態にかかるエネルギー貯蔵システムの流量は、１分当たり少なくとも１
５．５リットルであってもよい。
【００２０】
前記相変化物質は、約５８℃の相変態温度を含んでもよい。前記相変化物質は、５０〜
５５℃の範囲の相変態温度を含んでもよい。
【００２１】
前記バンクのうちの少なくとも１つは、約２８℃の相変態温度を含む相変化物質を備え
てもよい。２８℃の低温ＰＣＭを使うメリットは、熱回収回路をより長い期間低温に維持
して回収エネルギー量を増やすことができることにある。
【００２２】
本発明の実施形態にかかるエネルギー貯蔵システムは、ボイラーサイクリングを減らし
てもよい。当然のことながら、家庭の環境では、手洗い等温水ドローオフの多くは短時間
であり、非常に非効率なエネルギー使用になり得る。
【００２３】
本発明の第２の態様は、第１の態様にかかるエネルギー貯蔵システムと組み合わせたボ
イラーを提供する。
【００２４】
本発明にかかるエネルギー貯蔵システムでの使用に好適なボイラーは、システムボイラ
ーであってもよい。あるいは、エネルギー貯蔵システムでの使用に好適なボイラーは、コ
ンビネーションボイラーであってもよく、第１の態様にかかるエネルギー貯蔵システムは
、ボイラーの外部に設けられる。非限定例として、好適なボイラーは、ガス燃焼ボイラー
またはガス燃焼ボイラーであってもよい。
【００２５】
好適なボイラーと本発明にかかる外部エネルギー貯蔵システムとの組み合わせにより、
貯蔵コンビネーションボイラーに匹敵するが開発および認定コストを節約したシステムを
提供してもよい。
【００２６】
システムボイラーと組み合わせて用いられるエネルギー貯蔵システムは、一般に衣類乾
燥棚（ａｉｒｉｎｇ  ｃｕｐｂｏａｒｄ）等に置かれる貯蔵シリンダが必要なくなるため
、周知のシステムボイラーよりも有利である。このため、貯水に要するスペースが削減さ
れる。
【００２７】
コンビネーションボイラーと組み合わせて外部で用いられるエネルギー貯蔵システムは
、外部エネルギー貯蔵システムが需要時の温水生成の遅延を実質的になくすため、周知の
従来のコンビネーションボイラーよりも有利である。加えて、コンビネーションボイラー
と組み合わせて外部で用いられるエネルギー貯蔵システムは、貯蔵容器の要件を軽減する
とともに、ボイラー装置内の故障の可能性のある動作部品の数を減らす。
【００２８】
エネルギー貯蔵システムの飲用水量は、１５リットルよりもはるかに低い。よって、装
置は、コンビネーションボイラーに用いられる非換気型貯蔵容器（４０〜８０リットル）
に通常伴う安全装置および試験を要しなくてよい。
【００２９】
従来の貯蔵コンビネーションボイラーは、一般的に、貯蔵飲用水を殺菌する必要がある
。なぜなら、容器内の貯水量が所定レベルを超えると、滞留時間が長くなるためである。
システムにおける飲用水量を最大およそ１０リットルのレベルまで低減して維持し需要時
に即座に加熱することによって、水をレジオネラ菌から守るために６０℃超に加熱する等
の殺菌が不要になる。
【００３０】
システムボイラーは、エネルギー貯蔵システムと共に、従来のシステムボイラー構造や
貯蔵コンビネーションボイラーと比べて、ボイラー効率を向上させる。平均ボイラー回路
温度は、概してより低い。
【００３１】
システムボイラーと本発明にかかるエネルギー貯蔵システムとの組み合わせにより、エ
ネルギー貯蔵システムが提供する貯蔵から温水が即座に供給されるため、水やエネルギー
浪費が軽減される。
【図面の簡単な説明】
【００３２】
本発明の実施形態を、例としてのみ、添付図面を参照しながら以下に説明する。
【図１】本発明の実施形態にかかるエネルギー貯蔵システムを備える貯蔵ボイラー構造の略図である。
【図２】本発明の実施形態にかかるエネルギー貯蔵システムを備える貯蔵ボイラー構造の略図である。
【図３】本発明の実施形態にかかるエネルギー貯蔵システムの好適な配置の略図である。
【発明を実施するための形態】
【００３３】
図１は、外部貯蔵容量を有するコンビネーションボイラー１００と実際上みなされる構
造を提供するための、システムボイラー２０と組み合わせた本発明の実施形態にかかるエ
ネルギー貯蔵システム１０の略図である。
【００３４】
エネルギー貯蔵システム１０は、通常は燃焼排ガスとして放散される熱エネルギーを回
収および貯蔵するための一連または一群のバンク１０１、１０２、１０３、および１０４
を備える。エネルギー貯蔵システム１０は、ボイラー２０と排気筒２０２との間に位置す
る熱交換器２０１から熱を回収する。
【００３５】
各バンク１０１、１０２、１０３、および１０４は、相変化物質を含有する。第１バン
クは、廃熱回収バッテリーであり、融点２８℃の相変化物質を含有し、貯蔵容量は約１．
５ｋＷｈである。
【００３６】
他のバンク１０２、１０３、および１０４はそれぞれ、融点５８℃の相変化物質を含有
し、貯蔵容量は２．０〜１０．０ｋＷｈである。
【００３７】
図１に示す実施形態において、ポンプ１０５は、燃焼排ガス熱交換器２０１から廃熱回
収バンク１０１に廃熱エネルギーを移すために配される。コントローラ１０６は、蛇口が
開いた時等、温水需要時にボイラー２０を燃焼する際に、ポンプ１０５を作動させるよう
動作可能である。燃焼排ガスからの熱エネルギーは、このように回収可能である。
【００３８】
図２は、図１に示す配置と類似のボイラー２０およびエネルギー貯蔵システム１０の配
置を示す。このため、同じ参照符号を用いている。図１および図２に示す配置の違いは、
図２に示すように、燃焼排ガス熱交換器２０１と廃熱回収バンク１０１との間の廃熱回収
回路におけるマイクロヒートポンプ１１５である。水−水ヒートポンプ１１５は、一般的
に、ボイラー燃焼排ガス２０２から、図１に示す飲用水ミニポンプ１０５よりも多くのエ
ネルギーを抽出する。加えて、マイクロポンプ１１５は、図１のミニポンプ１０５よりも
高温で抽出熱エネルギーを貯蔵可能である。
【００３９】
図示の例において、ボイラー２０は従来のシステムボイラーであり、エネルギー貯蔵シ
ステム１０と組み合わせることによって、温水貯蔵タンクが不要になる。
【００４０】
システムボイラー２０とエネルギー貯蔵システム１０との組み合わせにより、同等の貯
蔵コンビネーションボイラーよりも効率的に動作可能な加熱システムが得られる。
【００４１】
ボイラー２０は、典型的なシステムボイラーであり、本発明の一部を構成しない。エネ
ルギー貯蔵システムと関連するボイラー２０の主構成要素を、以下に説明する。なお、ガ
ス燃焼ボイラーや重油燃焼ボイラー等の他のタイプのボイラーを、本発明の実施形態にか
かるシステムと共に用いてもよい。
【００４２】
図１および図２において、ボイラー２０は、ハイドロブロック２０７を備える。温水蛇
口が開けられると、ボイラー２０は、通常需要に応じて点火し、ハイドロブロック２０７
上の３ポート弁を介して温水が蛇口に供給される。図示の例では、ハイドロブロック２０
７での出力流れは、エネルギー貯蔵システム１０を通る。よって、エネルギー貯蔵システ
ム１０により燃焼排ガス２０１からの熱が回収されエネルギー貯蔵システム１０に貯蔵さ
れている水の加熱に利用されるため、ボイラー２０に対する要求は軽減される。このよう
に、本発明の実施形態にかかるシステムは、温水需要時に、蛇口が開くと即座に温水を供
給する。
【００４３】
燃焼排ガスは、通常、ボイラーガス−水熱交換器によって燃焼室２０８におけるガスの
燃焼から熱が抽出された後、ボイラー排気筒２０２を介して大気中に排出される。下記の
通り、図示の例では、熱交換器２０１は、燃焼室２０８とボイラー排気筒２０２との間に
位置し、エネルギー貯蔵システム１０と共に動作して排ガスから熱を回収する。
【００４４】
一般的に、燃焼排ガスは、特に露点未満で腐食するため、廃熱回収回路のための特注ス
テンレス鋼ガス−水熱交換器２０１が最適である。開発を複雑にしないため、フレキシブ
ルでコスト効率の良いポンプ回路を用いて熱交換器２０１から廃熱回収バンク１０１へと
熱を移す。
【００４５】
ボイラー２０とエネルギー貯蔵システム１０とを備えるシステム１００は、温水出口２
０９と、電源冷水供給２１０と、コンデンセートドレーン２１１と、セントラルヒーティ
ング温水流出力２１２と、セントラルヒーティングリターン２１３とを含む。
【００４６】
本発明の実施形態にかかるシステムにおいて、エネルギー貯蔵システム１０内の飲用水
量は、１５リットル未満である。従って、水をレジオネラ菌から守るために６０℃超に加
熱する等の殺菌が不要になる。但し、もし規則で決められている等で飲用・家庭用温水の
殺菌が要求事項である場合、図１に示すように、１週間に１回等定期的にバンク１０１を
高温加熱すればよい。
【００４７】
周知の貯蔵コンビネーションボイラーにおいて、貯蔵容量を増やしレジオネラ菌の危険
性を低減するために、水は、通常およそ６５℃に加熱される。貯蔵コンビネーションボイ
ラーの容器の平均エネルギー貯蔵容量は、２．７ｋＷｈであり、これは、およそ２５リッ
トルの飲用水に相当する。典型的に、このような量は、水の殺菌を要し、よって、６０℃
超の加熱が必要である。
【００４８】
ボイラー２０の通常運転中、加熱サイクル終了時に、ボイラーポンプは、ボイラー過熱
を防ぐために一般的にさらに５〜１０分間動作する。オーバーランのため、ボイラー内の
エネルギーは、通常、セントラルヒーティングラジエーターへまたはボイラー機器のケー
シングを通って放散される。本発明の実施形態にかかるエネルギー貯蔵システム１０とボ
イラー２０との構成では、バンク１０１、１０２、１０３、および１０４の階層が管理可
能であることから、エネルギー貯蔵システム１０は、オーバーラン期間中のエネルギーを
回収することによって、ボイラー２０のオーバーラン期間を利用することができる。
【００４９】
比較のコンビネーションボイラーからの流れ温度は、約４５℃である。図１および図２
に示すボイラー２０およびエネルギー貯蔵システム１０から同じ流れ温度を得るための好
適な相変化物質は、融点または相変態温度が５０〜５５℃の物質である。加えて、温度調
整混合弁（ｔｈｅｒｍｏｓｔａｔｉｃ  ｂｌｅｎｄｉｎｇ  ｖａｌｖｅ）１１０をエネル
ギー貯蔵システム１０内に配して、出口２０９の温水温度をおよそ４７℃になるように調
節する。
【００５０】
エネルギー貯蔵システムは、その設置・配置に要するスペースが最小となるように構成
することができる。例えば、図３に示すように、エネルギー貯蔵システム１０を、ボイラ
ー２０の後ろや下３００等、ボイラー２０に隣接して配置してもよい。あるいは、エネル
ギー貯蔵システム１０を、ボイラー２０から遠くに配置し、好適な導管や配管で両者を接
続してもよい。例えば、ボイラー２０を台所の壁やキャビネットの中に設置して、エネル
ギー貯蔵システム１０を、ウォールキャビネット３１０の上や、ベースキャビネット３２
０の後ろの空所や、キャビネットと壁３３０との間の空間等、空間や空隙に個別に配置し
てもよい。
【００５１】
記載・図示した実施形態において、エネルギー貯蔵システム１０は、４つのバンク１０
１、１０２、１０３、および１０４を備える。しかし、バンクやバッテリーの数は一例に
すぎず、各バンクにおける相変化物質の融点温度も同様である。よって、バンクはより少
なくても多くてもよく、相変態温度はより高くても低くてもよい。
【００５２】
相変化物質を含むシステムは、エネルギーを貯蔵および放出することができるシステム
を提供する。ここで、物質の物理的状態が固体から液体へまたは液体から固体へ変化する
時に、熱が吸収または放出される。
【００５３】
システムをシステムボイラーと組み合わせて説明したが、システムを、重油燃焼ボイラ
ーやガス燃焼ボイラーを非限定的に含む他のタイプのボイラーと共に用いて、システム性
能を改善し廃熱を低減してもよい。
【００５４】
本発明の特定の実施形態を記載したが、記載の実施形態からの展開も当然本発明の範囲
に含まれ得る。
【図１】
2019203685.tif 000004
【図２】
2019203685.tif 000005
【図３】
2019203685.tif 000006
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
エネルギー貯蔵システムと、ボイラーと、を備えるコンビネーションボイラーであって、
前記エネルギー貯蔵システムは、
複数の熱エネルギー貯蔵バンクであって、各熱エネルギー貯蔵バンクが所定の相変態温度を有する相変化物質を備える複数の熱エネルギー貯蔵バンクと、
前記ボイラーから廃エネルギーを回収するよう構成される抽出装置であって、前記ボイラーから廃エネルギーを抽出して当該エネルギーを前記熱エネルギー貯蔵バンクのうちの少なくとも１つに供給するよう動作可能な抽出装置と、
使用中、前記ボイラーの動作に応じて前記抽出装置を作動するよう配されるコントローラと、を備え、
前記コンビネーションボイラーは、需要時に即座に加熱可能であり、そのため殺菌が不要である、最大で１０リットルの飲用水を含む、コンビネーションボイラー。
【請求項２】
前記相変態温度は、全ての前記熱エネルギー貯蔵バンクで同じである、請求項１に記載のコンビネーションボイラー。
【請求項３】
少なくとも１つの前記熱エネルギー貯蔵バンクは、残りの前記熱エネルギー貯蔵バンクの相変態温度よりも低い相変態温度で動作する、請求項１に記載のコンビネーションボイラー。
【請求項４】
前記各熱エネルギー貯蔵バンクは、熱エネルギー伝達接続によって１つ以上の隣接する前記熱エネルギー貯蔵バンクに接続され、
任意に、前記抽出装置は、ポンプを備える、請求項１から３のいずれか一項に記載のコンビネーションボイラー。
【請求項５】
前記ポンプは、飲用水ミニポンプまたはマイクロヒートポンプを備える、請求項４に記載のコンビネーションボイラー。
【請求項６】
前記ポンプは、前記ボイラーの動作中に生成された燃焼排ガスから廃熱を回収するよう構成され、
任意に、前記コントローラは、前記ボイラーの燃焼に応じて前記ポンプを作動する、請求項５に記載のコンビネーションボイラー。
【請求項７】
冷水入口をさらに備え、
任意に、１５リットル未満の飲用水をさらに含む、請求項１から６のいずれか一項に記載のコンビネーションボイラー。
【請求項８】
飲用温水の出口温度を制御するために、入口冷水を前記エネルギー貯蔵システムによって加熱された飲用水と混合するよう動作可能な温度調整混合弁をさらに備え、
任意に、前記温度調整混合弁は、出口水温度を調節するよう構成可能であり、
前記出口水温度は、約４７℃である、請求項７に記載のコンビネーションボイラー。
【請求項９】
前記エネルギー貯蔵システムを流れる温水の流量は、１分当たり少なくとも１５．５リットルである、請求項１から８のいずれか一項に記載のコンビネーションボイラー。
【請求項１０】
前記相変化物質は、約５８℃の相変態温度を含む、請求項１から９のいずれか一項に記載のコンビネーションボイラー。
【請求項１１】
前記相変化物質は、５０〜５５℃の範囲の相変態温度を含み、
任意に、前記熱エネルギー貯蔵バンクのうちの少なくとも１つは、約２８℃の相変態温度を含む相変化物質を備える、請求項１から１０のいずれか一項に記載のコンビネーションボイラー。
【請求項１２】
前記エネルギー貯蔵システムは、前記ボイラーの外部に前記ボイラーと流体連結して位置し、
任意に、排ガスを受け取り、得られた熱エネルギーを前記エネルギー貯蔵システムの少なくとも１つの前記熱エネルギー貯蔵バンクへ送出するよう構成される熱交換器をさらに備える、請求項１から１１のいずれか一項に記載のコンビネーションボイラー。
【外国語明細書】
2019203685000001.pdf